(57)【要約】      （修正有）【課題】水洗いで繰返し接着、取外し可能なゴムシートの改良構造を提供する。  【解決手段】厚みと面積を有するシート体からなる第一側面と第二側面を備えてなる基材を有し、基材の第一側面に惰性ゴム層が設けられ、該惰性ゴム層は惰性粘着面があり、該惰性粘着面は、繰返し接着、取り外しが可能である。基材の第二側面に接合層が設けられ、該接合層は、高粘度接着剤で作られた接合型粘着面であり、該接合型粘着面は、一回で黏著固定される。さらに、一つの離形層が備わり、該離形層は剥離可能で、該接合型粘着面と惰性粘着面のどれかの一つの表面に貼り付けられている。【選択図】図１
0003177463.tif 000002
【実用新案登録請求の範囲】
【請求項１】
該ゴムシートＡは、
厚みと面積を有するシート体からなる第一側面１１と第二側面１２を備えてなる基材１０、
該基材１０の第一側面１１に設けられている惰性ゴム層２０が設けられ、該惰性ゴム層２０は惰性粘着面２１があり、該惰性粘着面２１は、繰返し接着、取り外しが可能で、接着剤があまり残らず、変形しない使用温度範囲は−２０°Ｃから１２０°Ｃまでの間にあり、  
該基材２１の第二側面１２に設けられている接合層３０が設けられ、該接合層３０は、高粘度接着剤で作られた接合型粘着面３１があり、該接合型粘着面３１は、一回で黏著固定されており、繰返し接着、取り外しはできないものであり、  
また、少なくとも、一つの離形層４０が設けられ、該離形層４０は剥離可能で、該接合型粘着面３１と惰性粘着面２１のどれかの一つの表面に貼り付けられていることを特徴とする水洗いで繰返し接着、取外し可能なゴムシート。
【請求項２】
該ゴムシートＡの基材１０は、熱可塑性ポリウレタン（ＴＰＵ）、ポリエチレンテレフタレート（ＰＥＴ）、ポリエチレン（ＰＥ）、ポリ塩化ビニル（ＰＶＣ）、ポリエチレン酢酸ビニール（ＰＥＶＡ）、ポリプロピレン（ＰＰ）、ポリエステル（ＰＵ）、ゴムフィルム（ＲＵＢＢＥＲ  ＦＩＬＭ）、布材のいずれかの材料を使用してなる層体であり、該ゴムシートＡの接合層３０はアクリル系感圧接着剤（ＰＳＡ）を使用してなるものであることを特徴とする請求項１に記載の水洗いで繰返し接着、取外し可能なゴムシート。
【請求項３】
該ゴムシートＡは単一シート状の形態で設けられた場合、該接合型粘着面３１や惰性粘着面２１にも、いずれも離形層４０が貼り付けられており、または、該ゴムシートＡは、複数シート重ね状の状態で設けられた場合、該離形層４０は、各重ね合った接合型粘着面３１と惰性粘着面２１の間に設けられており、または、該ゴムシートＡは単一カール状の形態で設けられた場合、該離形層４０は、各重ね合った接合型粘着面３１と惰性粘着面２１の間に設けられ、該離形層４０は柔軟で高密度プラスチック材料を使用してなるものであることことを特徴とする請求項１または２に記載の水洗いで繰返し接着、取外し可能なゴムシート。
【請求項４】
該惰性ゴム層２０の惰性粘着面２１の表面は、滑らか面または粗面で、該惰性ゴム層２０全体として、熱可塑性ポリウレタン（ＴＰＵ）またはポリエステル（ＰＵ）などの熱可塑性材料で作られていることを特徴とする請求項１に記載の水洗いで繰返し接着、取外し可能なゴムシート。
【請求項５】
該基材１０と接合層３０との間には更に、複合増厚層５０が設けられており、該複合増厚層５０は、エチレン酢酸ビニル共重合体フォーム（ＥＶＡ  ＦＯＡＭ）、フォーム（ＦＯＡＭ）、ポリエチレンフォーム（ＰＥ  ＦＯＡＭ）、ポリエチレンフィルム（ＰＥ  ＦＩＬＭ）、ポリエステルフォーム（ＰＵ  ＦＯＡＭ）、ポリエステルフィルム（ＰＵ  ＦＩＬＭ）、ポリ塩化ビニルフォーム（ＰＶＣ  ＦＯＡＭ）、ポリ塩化ビニルフィルム（ＰＶＣ  ＦＩＬＭ）、  ＰＰフィルム、ＰＰフォーム（ＰＰ  ＦＯＡＭ）、ゴムフィルム（ＲＵＢＢＥＲ  ＦＩＬＭ）、布材のいずれかの一つを使用してなり、該複合増厚層５０と基材１０との間は、アクリル接着剤またはホットメルト接着剤で結合させるように設けられていることを特徴とする請求項１に記載の水洗いで繰返し接着、取外し可能なゴムシート。
【考案の詳細な説明】
【技術分野】
【０００１】
本考案は、接着とシート機能を兼ね備えた製品に関わり、特に、水洗いで繰返し接着、取り外し可能なゴムシート構造のオリジナルな形態設計に関する。
【背景技術】
【０００２】
粘着製品やシート製品は、多くの日常生活の商品に幅広く利用され、黏著、傾き防止、滑り止め、振動防止や、偽造防止など、多種多様な機能に運用されている。
【０００３】
従来の粘着製品は、取外されたら、その上に接着剤が残されやすく、取りにくいという欠点があり、その後、関連業界で繰返し接着、取り外しが可能で、接着剤があまり残さない粘着シート（パッド）製品が開発された。そのような粘着シート（パッド）製品は激しい競争で、関連業界で次々と開発され、多様な構造形態が見られるが、実際の応用経験の中から、幾つかの問題や欠点があったと発見された。
【０００４】
ここで、本考案に関わる従来の技術のみを取り上げ、例えば、台湾特許公開番号Ｍ３０２９７９（以下、従来案という）「粘着性の粘着シート（パッド）構造」を見ると自己粘着性があり、接着剤が脱落せず、取外されても、接着剤が粘着シート（パッド）に残らない製品の構造が示されており、その技術内容に定められた「熱可塑性ゴム」や「残り屑の回収可能」の特徴を見て分かるように、該案に掲示された粘着シート（パッド）の二枚目と一枚目との粘着力は異なるが、いずれも熱可塑性ゴム（ＴＰＲ）を使用してなる構造体で、それにより、繰返し接着、取り外しが可能で、接着剤があまり残らないという使用效果があるとは分かるが、その構造は、実際に使用した経験から、次のような問題点が残されている。
【０００５】
１．粘着力不足：上記の例を含む従来案のシート体は、全体として、熱可塑性ゴムからなり、二枚のシートは粘着力は異なるが、弱粘着力で繰返し接着、取り外しのできるものであり、該構造を両面テープに使用したとき、物品に貼り付けて、物品から負荷がかかる（例えば、フック）場合、粘着力不足による負荷力が製品要求に対応しきれないという問題点があること。  
【０００６】
２．高温に弱い：該従来案は全体として、熱可塑性ゴム（ＴＰＲ）を使用した構造であり、熱可塑性ゴムは、高温に弱く、４０°Ｃ以上になると、軟化したり、変形したり、気泡が出たりするが、該構造は、自動車の物置用シートとして使用された場合、強い陽射しを長い時間に浴びている、止まった車は高温で、該物置シートが変形するが、該物置面が変形して、接着剤から油汚れなどが流出し、見た目が悪くて使用者がそれを受け入れられず、物品をきれいで安定して置くこともできないという問題があること。  
【０００７】
３．防塵力が悪く、洗浄困難：該従来案は、熱可塑性ゴム（ＴＰＲ）を使用した構造であり、その表面には、髪の毛や綿の屑などが付着したりすると、水洗いできれいに取り除くことはできるが、より細かな粉じんが付着したりすると、細孔が比較的に大きく、油も含まれている構造であるため、粉じんがその細孔に入り込み、洗浄でも取れにくくなり、数回水洗いしたら、表面の黏著力が低下し、製品の頑丈さや使用寿命に影響するという問題点と欠点があること。
【０００８】
４．滑止力や吸着力が悪い：従来案は熱可塑性ゴム（ＴＰＲ）を使用した構造で、油も含まれているから、暫く放置し、または陽射しを受けて、接着剤から油汚れが流出したりして、負荷や滑り止め効果が効かなくなること。
【０００９】
上述の従来の繰返し接着、取り外し可能なゴムシート製品の構造に存在している問題点について、より理想的で実用性のあるオリジナルな構造を開発するのが、使用者が望むことで、関連業者がそれを開発するように取り組むべき目標と方向でもある。
【００１０】
それを鑑みて、発明者は関連製品の製造開発と設計に携わる長年の経験を持っており、上述した目標について詳しく設計、慎重に評価したうえ、ようやく実用性のある本考案を得られたのである。
【考案の概要】
【考案が解決しようとする課題】
【００１１】
本考案は、水洗いで繰返し接着、取外し可能なゴムシートの改良構造を提供することを目的とし、解決しようとする課題は、改良して、より理想的で実用性のある新しいゴムシート構造を開発することにある。
【課題を解決するための手段】
【００１２】
本考案の課題を解決しようとする技術的特徴として、厚みと面積を有するシート体からなる第一側面と第二側面を備えてなる基材、基材の第一側面に設けられている惰性ゴム層が備わり、該惰性ゴム層は惰性粘着面があり、該惰性粘着面は、繰返し接着、取り外しが可能で、接着剤があまり残らず、変形しない使用温度範囲は−２０°Ｃから１２０°Ｃまでの間にあり、基材の第二側面に設けられている接合層が備わり、該接合層は、高粘度接着剤で作られた接合型粘着面であり、該接合型粘着面は、一回で黏著固定されており、繰返し接着、取り外しはできないものであり、少なくとも、一つの離形層が備わり、該離形層は剥離可能で、少なくとも、該接合型粘着面と惰性粘着面のどれかの一つの表面に貼り付けられていることを特徴とする該ゴムシートである。背景技術に対して、本考案は、該惰性ゴム層の技術的特徴により、ゴムシートの防塵、耐温性、湿気防止、吸着力と黏著力の機能が大幅に向上、繰返し接着、取り外しが可能で、頑丈さが高まり、使用寿命が延び、適用範囲が広がるという実用性と進歩性がある。
【考案の効果】
【００１３】
本考案による効果向上の事実は下記の通り。  
本考案に掲示した「水洗いで繰返し接着、取外し可能なゴムシートの改良構造」は、基材、惰性ゴム層、接合層と離形層を備えてなるオリジナルな構造であり、従来の［背景技術］に対して、本考案では、該惰性ゴム層の技術的特徴により、繰返し接着、取り外しが可能な状況で、使用の時に、ゴミや埃などがあまり付着せず、数回洗浄しても、粘着力も影響されず、高負荷の使用状態に対応可能なこと、それに、変形しない使用温度範囲が大幅に広がり、変形せず、高温や低温の使用環境にも適用すること、上述の内容をまとめると、本考案は、ゴムシートの防塵、耐温性、湿気防止、吸着力と黏著力の機能が大幅に向上、繰返し接着、取り外しが可能で、頑丈さが高まり、使用寿命が延び、適用範囲が広がるという実用性と進歩性がある。
【００１４】
上述した実施例に掲示したのは、本考案を具体的に説明するために用いられる内容であり、文の中で専門用語で説明してきたが、それを以って本考案の特許請求範囲を制限してはならず、当該技術分野の分かるものが本考案のコンセプトや考えに基づき、その変化や改造などを行って、それと同等な効果を得たとしても、すべて本考案の特許請求範囲に含まれるものとする。
【図面の簡単な説明】
【００１５】
【図１】本考案の組立立体図。
【図２】本考案の平面断面図。
【図３】本考案の基材と接合層との間に複合増厚層が設けられている平面断面図。
【図４】本考案のゴムシートは単一シート状の形態である場合の実施例図。
【図５】本考案のゴムシートは複数シート重ね状の状態である場合の実施例図。
【図６】本考案のゴムシートは単一カール状の形態である場合の実施例図。
【図７】本考案のゴムシートは単一カール状の形態である場合の局所拡大断面図。
【図８】本考案のゴムシートをフックに使用した場合の実施例図。
【図９】本考案の惰性ゴム層の惰性粘着面の表面は粗面である場合の実施例図。
【図１０】本考案の惰性ゴム層の惰性粘着面の表面は粗面である場合の平面断面図。
【図１１】本考案のゴムシートに重荷がかかった場合の実施例図。
【図１２】本考案のゴムシートを斜め面に使用し、物品が滑り落ちたりすることを防ぐ場合の実施例図。
【考案を実施するための形態】
【００１６】
図１〜図３に示すのは、本考案の水洗いで繰返し接着、取外し可能なゴムシートの改良構造の好適な実施例であり、これらの実施例は説明のみに用いられ、特許請求の際、それらの構造に制限されないものとする。
【００１７】
本考案は厚みと面積を有するシート体からなり第一側面１１と第二側面１２を備えてなる基材１０、該ゴムシートＡの基材１０は、熱可塑性ポリウレタン（ＴＰＵ）、ポリエチレンテレフタレート（ＰＥＴ）、ポリエチレン（ＰＥ）、ポリ塩化ビニル（ＰＶＣ）、ポリエチレン酢酸ビニール（ＰＥＶＡ）、ポリプロピレン（ＰＰ）、ポリエステル（ＰＵ）、ゴムフィルム（ＲＵＢＢＥＲ  ＦＩＬＭ）、布材のいずれかの材料を使用してなる層体であり、
該基材１０の第一側面１１に設けられている惰性ゴム層２０が設けられ、該惰性ゴム層２０は全体として、熱可塑性ポリウレタン（ＴＰＵ）またはポリエステル（ＰＵ）を使用してなるもので、そして惰性粘着面２１が設けられているが、該惰性粘着面２１は、繰返し接着、取り外しが可能で、接着剤があまり残らず、変形しない使用温度範囲は−２０°Ｃから１２０°Ｃまでの間にあり、惰性ゴム層２０は、ＴＰＵまたはＰＵ材で作られた場合、従来のＴＰＲで作られた場合よりも、耐温性、耐磨耗性が向上、使用の時にも、あまり変形せず、ゴミや埃なども付着しにくく、数回洗浄しても、粘着力も影響されないこと、ＴＰＵまたはＰＵ材の等級付けを、低いレベルから高いレベルへと分けると、およそ射出レベル、押出レベル、ブローフィルムレベルがあるが、レベルが高ければ、耐温性、耐磨性が高くなる。
【００１８】
更に該基材２１の第二側面１２に設けられている接合層３０が設けられ、該接合層３０は、高粘度接着剤で作られた接合型粘着面３１であり、該接合型粘着面３１は、一回で黏著固定されており、繰返し接着、取り外しはできないものであり、該ゴムシートＡの接合層３０は、感圧接着剤（ＰＳＡ）で作られたほうがよいが、ゴムシートＡの両側にそれぞれ、接合層３０と惰性ゴム層２０を設ける技術的特徴により、ユーザがそれを物品の表面に永久的に貼り付ける場合、接合層３０の接合型粘着面３１を使用して、粘着固定することができる。繰返しの接着、取り外しを求める場合、惰性ゴム層２０の惰性粘着面２１を使用することができるので、そこで、ゴムシートＡは、使用者のニーズに応じて柔軟に利用できることになる。
【００１９】
従って、本考案は少なくとも、一つの離形層４０が備わり、該離形層４０は剥離可能で、少なくとも、該接合型粘着面３１と惰性粘着面２１のどれかの一つの表面に貼り付けられていることを特徴とする該ゴムシートＡである。
【００２０】
図３に示すように、該基材１０と接合層３０との間には更に、複合増厚層５０が設けられており、該複合増厚層５０は、エチレン酢酸ビニル共重合体フォーム（ＥＶＡ  ＦＯＡＭ）、フォーム（ＦＯＡＭ）、ポリエチレンフォーム（ＰＥ  ＦＯＡＭ）、ポリエチレンフィルム（ＰＥ  ＦＩＬＭ）、ポリエステルフォーム（ＰＵ  ＦＯＡＭ）、ポリエステルフィルム（ＰＵ  ＦＩＬＭ）、ポリ塩化ビニルフォーム（ＰＶＣ  ＦＯＡＭ）、ポリ塩化ビニルフィルム（ＰＶＣ  ＦＩＬＭ）、ＰＰフィルム、ＰＰフォーム（ＰＰ  ＦＯＡＭ）、ゴムフィルム（ＲＵＢＢＥＲ  ＦＩＬＭ）、布材のいずれかの一つを使用してなり、基材１０は、ＴＰＵ材で作られた場合、ＴＰＵ材は値段が高いので、ＴＰＵ材の高価を解決、コスト削減を実現、厚みを向上させるために、複合増厚層５０は、上述の材料を使用するとよく、それにより、ゴムシートＡは粘着のとき、押し付けられる空間が設けられ、ぴったり粘着できるようになる。そして、該複合増厚層５０と基材１０との間は、アクリル接着剤またはホットメルト接着剤で結合させるように設けられている。
【００２１】
図４に示すように、該ゴムシートＡは、単一シート状の形態で、該形態に設けられた場合、該接合型粘着面３１や惰性粘着面２１にも、いずれも離形層４０が貼り付けられ、接合型粘着面３１や惰性粘着面２１に外来物の付着を防ぐことができる。
【００２２】
図５に示すように、該ゴムシートＡを複数シート重ね状の状態に設けられた場合、該離形層４０は、各重ね合った接合型粘着面３１と惰性粘着面２１の間に設けられている。  
【００２３】
図６に示すように、該ゴムシートＡは単一カール状の形態で、設けられた場合、該離形層４０は、各重ね合った接合型粘着面３１と惰性粘着面２１の間に設けられ（詳しくは図７に示す）、該離形層４０は、柔軟で高密度プラスチック材料を使用して設けられるが、それにより、カール状で生じられる皺などの隙間に埃などが侵入したりすることを防ぐことができ、離形層４０の剥離性は、接合層３０に対応して設けられている（ＴＰＵまたはＰＵ惰性ゴム層２０は、繰返し接着、取り外しが可能なので、離形層４０の剥離性は、惰性ゴム層２０に対応する必要がない）。
【００２４】
図８に示すのは、本考案のゴムシートＡをフックに使用した場合の実施例図であり、該接合層３０を、フックの片側に粘着固定させるようにするが、該惰性ゴム層２０の惰性粘着面２１の表面は、滑らか面に設けられてもよく、惰性粘着面２１を、滑らかな固定面（例えば、アクリル面、ガラス面）の上に粘着させ、吸着力を高め、高負荷な使用状態に対応させるようにする。例えば、図１１に示すのは、本考案のゴムシートＡに重荷がかかる場合の実施例図である。
【００２５】
図９、図１０に示すように、該惰性ゴム層２０の惰性粘着面２１の表面は、粗面に設けられてもよく、ゴムシートＡを、接合層３０により、固定面（例えば、机の上）に粘着固定させることにより、惰性ゴム層２０の惰性粘着面２１に置かれている物品に対して、好適な滑止め效果が得られる。
【００２６】
図１２に示すのは、本考案を斜め面に使用した場合の実施例図であり、それにより、斜め面に置かれている物品が滑り落ちたりすることを防ぐことができる。
【符号の説明】
【００２７】
ゴムシート        Ａ
基材              １０
第一側面          １１
第二側面          １２
惰性ゴム層        ２０
惰性粘着面        ２１
接合層            ３０
接合型粘着面      ３１
離形層            ４０
複合増厚層        ５０
【図１】
0003177463.tif 000003
【図２】
0003177463.tif 000004
【図３】
0003177463.tif 000005
【図４】
0003177463.tif 000006
【図５】
0003177463.tif 000007
【図６】
0003177463.tif 000008
【図７】
0003177463.tif 000009
【図８】
0003177463.tif 000010
【図９】
0003177463.tif 000011
【図１０】
0003177463.tif 000012
【図１１】
0003177463.tif 000013
【図１２】
0003177463.tif 000014